(57)【要約】【課題】撮影場所が荷台の内部でも合成後の画像が不自然になりにくい。【解決手段】荷台内に設定された撮影場所付近の壁面は、壁材１１５から構成されている。壁材１１５の内表面は、側面や底面等の平面領域１１５ａが形成されている。平面領域１１５ａ同士を湾曲領域１１５ｂが滑らかに繋いでいる。これにより、被写体を撮影した画像に尖った角部が写り込みにくくなっている。【選択図】図３
2014102365.tif 000002
【特許請求の範囲】
【請求項１】
車両又は被牽引車用の箱型の荷台と、
前記荷台内に配置された撮像手段と、
前記撮像手段が撮像した像を他の像と合成する合成手段とを備えており、
前記荷台の内壁面が、互いに交差する方向に沿った２つの平面領域と、当該２つの平面領域同士を滑らかに繋ぐ湾曲領域とを含んでいることを特徴とする合成写真撮影装置。
【請求項２】
前記合成手段が合成した複数の像を表示する表示手段と、
前記表示手段が表示した複数の像からユーザインタフェースを介して候補となる像を選択する選択手段とをさらに備えていることを特徴とする請求項１に記載の合成写真撮影装置。
【請求項３】
前記選択手段が選択した像を示すデータを装置外に送信する送信手段をさらに備えていることを特徴とする請求項２に記載の合成写真撮影装置。
【請求項４】
箱型の車体と、
前記車体内に配置された撮像手段と、
前記撮像手段が撮像した像を他の像と合成する合成手段とを備えており、
前記車体の内壁面が、互いに交差する方向に沿った２つの平面領域と、当該２つの領域同士を滑らかに繋ぐ湾曲領域とを含んでいることを特徴とする車両。
【発明の詳細な説明】
【技術分野】
【０００１】
本発明は、合成写真撮影装置及びこれを備えた車両に関する。
【背景技術】
【０００２】
従来、車両等の荷台に写真スタジオを併設した技術がある。特許文献１はその一例である。
【先行技術文献】
【特許文献】
【０００３】
【特許文献１】特開２００５−１５１９７４号公報
【発明の概要】
【発明が解決しようとする課題】
【０００４】
特許文献１のように荷台の内部をスタジオとする場合、撮影画像に荷台内部の角部が写りこんでしまうおそれがある。画像を合成する場合、撮影画像に角部が写り込むと、合成後の画像が不自然になるおそれがある。屋内のスタジオは、撮影場所としてある程度広い空間を確保できるため、角部が入らないように撮影範囲を工夫しやすく、撮影範囲に入り込むとしても角部の一部のみであることが多い。しかしながら、荷台内の限られた空間では撮影範囲に角部が入り込みやすいため、問題となりやすい。
【０００５】
本発明の目的は、撮影場所が荷台の内部でも合成後の画像が不自然になりにくい合成写真撮影装置及びこれを備えた車両を提供することにある。
【課題を解決するための手段】
【０００６】
本発明の合成写真撮影装置は、車両又は牽引車用の箱型の荷台と、前記荷台内に配置された撮像手段と、前記撮像手段が撮像した像を他の像と合成する合成手段とを備えており、前記荷台の内壁面が、互いに交差する方向に沿った２つの平面領域と、当該２つの平面領域同士を滑らかに繋ぐ湾曲領域とを含んでいる。また、本発明の車両は、箱型の荷台と、前記荷台内に配置された撮像手段と、前記撮像手段が撮像した像を他の像と合成する合成手段とを備えており、前記荷台の内壁面が、互いに交差する方向に沿った２つの平面領域と、当該２つの領域同士を滑らかに繋ぐ湾曲領域とを含んでいる。
【０００７】
本発明によると、平面領域同士を湾曲領域が滑らかに繋いでおり、角部が形成されていない。このため、荷台の内壁面を背景にして被写体を撮像した場合に、撮像に角部が写り込むことがなく、合成画像が不自然になりにくい。
【図面の簡単な説明】
【０００８】
【図１】本発明に係る移動撮影スタジオの正面図である。
【図２】図１のＩＩ―ＩＩ線断面図である。
【図３】図２に表れた壁材の一部断面を含む斜視図である。
【図４】移動撮影スタジオにおいて撮影された画像を処理する構成を示す機能ブロック図である。
【図５】被写体画像と背景画像との合成前後の画像を示す図である。を示す図である。
【発明を実施するための形態】
【０００９】
以下、本発明の一実施形態に係る移動撮影スタジオ１（合成写真撮影装置）について説明する。
【００１０】
移動撮影スタジオ１は、図１に示すように、トレーラー１００（被牽引車）を備えている。トレーラー１００は箱型の荷台１１０を有しており、写真撮影のための機材などが荷台１１０内に収容されている。荷台１１０全体は、直方体の概略形状を有している。荷台１１０の側面には出入り口１０１が設けられており、写真撮影を行う際はここから荷台１１０に出入りする。荷台１１０の後部には車輪１０２が設けられている。これによって、トレーラー１００は、トラックなどに牽引されて移動可能である。
【００１１】
荷台１１０の前部には支持柱１０３が設けられている。トレーラー１００が牽引されていないときは、車輪１０２と支持柱１０３によって荷台１１０が支持されている。支持柱１０３は取り外し可能又は折り畳み可能となっており、トレーラー１００が牽引される際には、走行の妨げとならないよう、取り外されたり折り畳まれたりする。荷台１１０の側面には、車椅子でも出入り口１０１まで登れるように、スロープ１０２が設けられている。スロープ１０２も取り外し可能又は折り畳み可能になっており、トレーラー１００が牽引される際に取り外されたり折り畳まれたりする。荷台１１０の側面には複数の採光窓１０４が設けられている。
【００１２】
荷台１１０の内部には、図２に示すように、撮影が行われる撮影スペース１１１、画像の選択が行われる選択スペース１１２、撮影準備のための着付けスペース１１３などが設けられている。撮影スペース１１１には、三脚やカメラなどの撮影機材が配置される。被写体となる人物の撮影位置は、撮影スペース１１１の最後部領域１１１ａ内である。被写体の周囲には、撮影照明用のパネル型のＬＥＤライト１１６やレフ板等が置かれている。カメラ（撮像手段）は、一点鎖線１１１ｘで示す位置に、レンズをＸ方向に沿って被写体に向けて置かれる。カメラは、被写体を静止画として撮像することも動画として撮像することも可能である。
【００１３】
最後部領域１１１ａの周囲の壁面は、壁材１１５で構成されている。壁材１１５は、図２及び図３に示すように、前方に開口した直方体の箱型の概略形状を有しており、木材や合成樹脂、金属などからなるパネルによって構成されている。壁材１１５の内表面は５つの平面領域１１５ａを含んでいる。これらの平面領域１１５ａは、互いに直交する平面に沿った領域である。平面領域１１５ａは、被写体から見て、左右に位置する左側面及び右側面、上下に位置する天井面及び底面、並びに、後方に位置する後方側面からなる。図３には、このうち、右側面、底面及び後方側面に対応する平面領域１１５ａのみが表れている。平面領域１１５ａ同士の間には、平面領域１１５ａ同士を滑らかに繋ぐ湾曲領域１１５ｂが形成されている。これにより、壁材１１５の内表面には尖った角部が含まれていない。また、壁材１１５の内表面の色は、画像を合成しやすいように、１色で統一されている。
【００１４】
撮影スペース１１１内には、画像合成装置１２０（合成手段）が設置されている。画像合成装置１２０は、通信回線を通じてカメラと接続されている。カメラにより動画として撮影された被写体画像を示すデータは、図４に示すように、通信回線を通じて画像合成装置１２０に送信される。画像合成装置１２０は、ＣＰＵやメモリ、ハードディスクドライブなどを内蔵したコンピュータや、ハードディスクドライブ内に記録されたプログラムデータ等からなる。ハードディスクからメモリに読み込まれたプログラムに従ってＣＰＵが各種のプロセスを実行することにより、コンピュータが後述の画像合成処理を実行する。また、画像合成装置１２０には、ディスプレイ１２１、及び、マウスやキーボードなどの入力デバイス１２２が接続されている。
【００１５】
画像合成装置１２０のハードディスクドライブには、被写体画像と合成するための複数の背景画像を示すデータが格納されている。図５（ａ）の画像ＩＭ１は、このような背景画像の一例である。画像合成装置１２０は、被写体画像ＩＭ２を示すデータと背景画像ＩＭ１を示すデータとに演算処理を施し、図５（ｂ）に示すような合成画像に対応する合成画像データを生成する。画像合成装置１２０は、カメラから逐次送信される動画データに対してこのような画像合成処理をリアルタイムで実行する。そして、画像合成装置１２０は、ディスプレイ１２１に合成画像をリアルタイムで表示させる。したがって、撮影者や被写体となる人物は、ポーズや背景に対する被写体の位置などの撮影シーンを変更しながら、撮影シーンに応じた被写体像と合成された画像をディスプレイ１２１上でリアルタイムに確認できる。撮影シーンが決定すると、入力デバイス１２２からのユーザ入力を通じ、その撮影シーンに応じた静止した合成画像に対応する合成画像データが生成される。このとき、合成画像データは、複数の撮影シーンについて生成されてもよい。
【００１６】
選択スペース１１２には、画像選択装置１３０（選択手段）が設置されている。画像合成装置１２０において生成された合成画像データは、画像選択装置１３０へと移される。画像合成装置１２０から画像選択装置１３０へのデータの移送は、メモリカードやＵＳＢメモリなどのデータ記録メディアなどを通じて行ってもよい。また、画像合成装置１２０と画像選択装置１３０とを通信回線で接続し、この通信回線を通じてデータを送信してもよい。画像選択装置１３０は、ＣＰＵやメモリ、ハードディスクドライブなどを内蔵したコンピュータや、ハードディスクドライブ内に記録されたプログラムデータ等からなる。ハードディスクからメモリに読み込まれたプログラムに従ってＣＰＵが各種のプロセスを実行することにより、コンピュータが後述の画像選択処理を実行する。また、画像選択装置１３０には、ディスプレイ１３１（表示手段）、及び、マウスやキーボードなどの入力デバイス１３２（ユーザインタフェース）が接続されている。
【００１７】
画像選択処理は以下の通りに実行される。画像選択装置１３０は、合成画像データに基づき、複数の撮影シーンに応じた複数の画像をディスプレイ１３１に表示させる。また、画像選択装置１３０は、合成画像をさらに飾り付けるための複数の飾り付け画像を示すデータをハードディスク内に格納している。飾り付け画像には、合成画像をはめ込む枠や幾何学模様、文字、数字などの画像が含まれている。画像選択装置１３０は、これらの複数の飾り付け画像をディスプレイ１３１に表示させる。そして、画像選択装置１３０は、入力デバイス１３２を介したユーザ入力に基づき、候補となる合成画像を選択すると共に、選択した合成画像に用いる飾り付け画像を選択する。また、画像選択装置１３０は、選択された合成画像及び飾り付け画像を合成し、ディスプレイ１３１に表示させる。さらに、画像選択装置１３０は、入力デバイス１３２を介したユーザ入力に基づき、合成画像と飾り付け画像の相対的な位置関係や大きさ、範囲などを調整する。このように、ユーザは、画像選択装置１３０により、合成画像と飾り付け画像とを実際に合成した状態をディスプレイ１３１上で確認できるため、完成時の写真のイメージを確認しつつ、合成画像と飾り付け画像を選択できる。
【００１８】
画像選択装置１３０において選択された合成画像と飾り付け画像とをさらに合成した画像を示すデータは、送信部１４０（送信手段）により、移動撮影スタジオ１の外部にある写真プリント事務所へと送信される。このデータ送信には、インターネットや携帯電話通信網などのデータ通信ネットワークが使用される。写真プリント事務所では、送信された画像データに基づき、写真専用の印刷用紙に画像をプリントする。
【００１９】
以上説明した本実施形態によると、角部が存在しない壁材１１５の内表面を背景として被写体が撮像される。したがって、被写体の撮像に角部が写り込むことがなく、画像合成装置１２０が合成した画像が不自然なものとなりにくい。
【００２０】
＜変形例＞
以上は、本発明の好適な実施形態についての説明であるが、本発明は上述の実施形態に限られるものではなく、課題を解決するための手段に記載された範囲の限りにおいて様々な変更が可能なものである。
【００２１】
例えば、上述の実施形態では、壁材１１５の内表面のいずれにも湾曲領域１１５ｂが形成され、角部がない。しかし、カメラの撮像範囲内に限って角部が形成されていなければよいので、撮像範囲外の領域では湾曲領域１１５ｂが形成されていなくてもよい。例えば、壁材１１５の内表面のうち、天井面の周辺が撮像範囲外であれば、天井面の周囲に湾曲領域１１５ｂが形成されていなくてもよい。
【００２２】
また、上述の実施形態では、トラック等により牽引されるトレーラーが想定されている。つまり、車体のうち、動力を有する部分と荷台を有する部分とが分離される場合が想定されている。しかし、動力を有する部分と荷台を有する部分とを含めた全体が一体となった車両に本発明が適用されてもよい。また、荷台を有しないバスなどの車両に本発明が適用されてもよい。バスの場合は、車体内の座席が設置される領域に撮影基材や画像合成装置等が設置されればよい。また、その領域の内壁面が、平面領域を繋ぐ湾曲領域が形成されていることにより角部が形成されないものとなっていればよい。
【符号の説明】
【００２３】
１        移動撮影スタジオ
１００    トレーラー
１１０    荷台
１１５    壁材
１１５ａ  平面領域
１１５ｂ  湾曲領域
１２０    画像合成装置
１３０    画像選択装置
【図１】
2014102365.tif 000003
【図２】
2014102365.tif 000004
【図３】
2014102365.tif 000005
【図４】
2014102365.tif 000006
【図５】
2014102365.tif 000007